(57)【特許請求の範囲】
【請求項１】
板状部材差込み部が設けられて配線基板上に配されるハウジングと、
該ハウジングに配列配置され、配線板状部材が上記板状部材差込み部を通じて上記ハウジングに差し込まれたとき、該配線板状部材における複数の接触端子部に接触接続される複数のコンタクトと、
上記ハウジングにおける上記複数のコンタクトの配列方向の両端部の夫々に取り付けられて、上記板状部材差込み部を通じて上記ハウジングに差し込まれた配線板状部材に対する係止を行う係止状態と上記係止を解除する係止解除状態とをとる係合部材と、
を備えて成り、
上記係合部材が、上記ハウジングに固定される固定部と、該固定部から伸びて上記配線基板に接続される基板接続部と、上記固定部から上記複数のコンタクトの配列方向に伸びる可動アーム状部と、該可動アーム状部の一端から折返し部をもって折り返して上記可動アーム状部に折り重なって上記複数のコンタクトの配列方向に伸びる操作部と、上記複数のコンタクトの配列方向において上記折返し部に対向する上記操作部の端部に設けられ、上記板状部材差込み部を通じて上記ハウジングに差し込まれた配線板状部材に係合して上記係合部材に上記係止状態をとらせるとともに、上記操作部に加えられる操作に伴って上記配線板状部材に対する係合を止めて上記係合部材に上記係止解除状態をとらせる係止部と、が形成されていることを特徴とするコネクタ装置。
【請求項２】
上記係合部材が、金属材料によって一体的に構成され、上記可動アーム状部が該可動アーム状部に折り重ねられた上記操作部を伴って弾性変位する状態をとるものとされることを特徴とする請求項１記載のコネクタ装置。
【請求項３】
上記係合部材が、上記可動アーム状部と上記操作部とを相互連結する上記折返し部が上記ハウジングにおける上記複数のコンタクトの配列方向の端部からその外方に上記複数のコンタクトの配列方向に沿って突出したものとされ、上記操作部における上記折返し部の近傍部分に、上記可動アーム状部に上記ハウジングの厚み方向の変位を生じさせる操作が加えられるとき、上記配線板状部材に係合した上記係止部が該配線板状部材に対する係合を止めさせられることを特徴とする請求項１記載のコネクタ装置。
【請求項４】
上記係合部材における上記係止部が、上記操作部の端部から上記ハウジングの厚み方向において上記配線基板に向かって突出することを特徴とする請求項１記載のコネクタ装置。
【請求項５】
上記係合部材における上記係止部が、上記ハウジングへの上記板状部材差込み部を通じた配線板状部材の差込み方向に沿って傾斜する傾斜面を有していて、該傾斜面を形成する部分を上記配線板状部材に設けられた係合部に係合させることを特徴とする請求項１記載のコネクタ装置。
【請求項６】
上記係合部材における上記基板接続部が、上記ハウジングにおける上記複数のコンタクトの配列方向の端部からその外方に上記複数のコンタクトの配列方向に沿って突出して上記配線基板に設けられた導体部分に半田付けされることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトが配列配置され、装着された配線板状部材に対する係止及び係止の解除を行う係合部材が備えられたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板との連結が、当該主配線基板に電気的接続がなされて固定されるコネクタ装置が用いられて行われることが多いものとされる。このような配線板状部材の主配線基板との連結にあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板との連結に用いられるコネクタ装置であって第１の類型に属するものは、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に接続され、配線板状部材が差込み部を通じてハウジングに差し込まれるとき、その配線板状部材に設けられた複数の接触端子部に夫々対応するものとなる複数のコンタクトと、ハウジングに対して回動可能に設けられたアクチュエータとを備えている。
【０００４】
斯かる従来の第１の類型に属するコネクタ装置に備えられるアクチュエータは、複数のコンタクトの夫々に係合し、回動せしめられるとき複数のコンタクトの夫々における作動部を変位させて、複数のコンタクトに、差込み部を通じてハウジングに差し込まれた配線板状部材に設けられた複数の接触端子部に夫々接触接続された状態、もしくは、複数の接触端子部との接触接続から解放された状態をとらせるもの、または、差込み部を通じてハウジングに差し込まれた配線板状部材に当接し、回動せしめられるとき、配線板状部材を押圧して当該配線板状部材に設けられた複数の接触端子部を複数のコンタクトに夫々接触接続された状態におく、もしくは、配線板状部材に対する押圧を解除して当該配線板状部材に設けられた複数の接触端子部を複数のコンタクトとの接触接続から解放された状態におくものとされる。そして、複数のコンタクトと配線板状部材に設けられた複数の接触端子部とが相互接触接続されることにより、配線板状部材が主配線基板との電気的接続状態におかれる。
【０００５】
さらに、従来提案されている配線板状部材の主配線基板への取付けに用いられるコネクタ装置であって第２の類型に属するものは、上述のようなハウジングを有し、上述のような複数のコンタクトを備えるとともに、外部からの電磁波ノイズに対するシールド効果を得るため、ハウジングを部分的もしくは全体的に覆うものとして配されて主配線基板に設けられた接地端子に接続される導電性シェルを備えているが、ハウジングに対して回動可能に設けられるアクチュエータは備えていない。斯かる従来の第２の類型に属するコネクタ装置にあっては、配線板状部材が差込み部を通じてハウジングに差し込まれたとき、自動的に、ハウジング内に設けられた複数のコンタクトが、差し込まれた配線板状部材に設けられた複数の接触端子部に夫々接触接続され、配線板状部材が差込み部を通じてハウジングに適正に差し込まれるだけで、配線板状部材が主配線基板との電気的接続状態におかれる。
【０００６】
このような従来提案されているコネクタ装置にあっては、ハウジングに対して回動可能に設けられるアクチュエータを備えたもの及び斯かるアクチュエータを備えていないもののいずれの場合にも、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に抜脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００７】
そのため、上述のような、ハウジングを有し、複数のコンタクトとハウジングに対して回動可能とされるアクチュエータとを備えた第１の類型に属するコネクタ装置であって、ハウジングに差込み部を通じて差し込まれた配線板状部材に係合して、当該配線板状部材のハウジングからの不所望な抜脱の阻止に関与する係止手段を備えたものが従来提案されている（例えば、特許文献１参照。）。また、上述のような、ハウジングを有し、複数のコンタクトを備え、さらに導電性シェルを備えているが、ハウジングに対して回動可能とされるアクチュエータは備えていない第２の類型に属するコネクタ装置であって、ハウジングに差込み部を通じて差し込まれた配線板状部材に係合して、当該配線板状部材のハウジングからの不所望な抜脱を阻止する係止手段を備えたものも従来提案されている（例えば、特許文献２及び特許文献３参照。）。
【０００８】
特許文献１に示されるコネクタ装置（フレキシブル基板用コネクタ）にあっては、ハウジング(2) における複数のコンタクト(6) の配列方向の両端側壁(5) に一対の補強金具(20)が夫々取り付けられており、各補強金具には、ハウジングに差込み部（開口部(3))を通じて差し込まれた配線板状部材（フレキシブル基板(30)) に当接して配線板状部材にそれを押し上げる方向の押圧力を作用させる、もしくは、ハウジングに差込み部を通じて差し込まれた配線板状部材における係合部（係合孔又は切欠き部(32)) に係合する状態をとる係止手段（弾性支持片(25)) が形成されている。そして、ハウジングに対して回動可能に設けられたアクチュエータ（加圧部材(12)) が、ハウジングに対して起き上がった位置からハウジングに対して伏した位置へと回動されるとき、ハウジングに差し込まれた配線板状部材が、アクチュエータによって、補強金具に形成された係止手段とは反対側から当該係止手段に向かって押圧される。
【０００９】
それにより、ハウジングに差し込まれた配線板状部材が、アクチュエータと補強金具に形成された係止手段とによって押圧挟持されることにより係止され、もしくは、補強金具に形成された係止手段が配線板状部材における係合部に係合することにより係止される。それにより、ハウジングに差し込まれた配線板状部材のハウジングからの不所望な抜脱が阻止される。
【００１０】
その後、アクチュエータが、ハウジングに対して伏した位置からハウジングに対して起き上がった位置へと回動されるとき、ハウジングに差し込まれた配線板状部材がアクチュエータにより押圧されなくなり、配線板状部材がアクチュエータと補強金具に形成された係止手段とによって押圧挟持された状態、もしくは、補強金具に形成された係止手段が配線板状部材における係合部に係合した状態が解除される。それにより、ハウジングに差し込まれた配線板状部材がハウジングから抜脱され得る状態におかれる。
【００１１】
また、特許文献２に示されるコネクタ装置（ロック付きＦＰＣ用コネクタ）にあっては、ハウジング（絶縁ハウジング(5))にそれに対してスライド可能に設けられた可動導電性シェル（イジェクトプレート(8))が備えられている。この可動導電性シェルは、ハウジングとの間に配されたコイルスプリング等の弾性部材(7) によって、ハウジングに対する配線板状部材 (ＦＰＣ基板(2))の差込み方向とは逆の方向に付勢されている。また、ハウジングにおける複数のコンタクト（コンンタクトピン(4))の配列方向の両端部分に一対の可動係止手段（弾性係止爪(6))が夫々取り付けられており、各可動係止手段は、その先端部に、ハウジングに差込み部（開口部(3))を通じて差し込まれた配線板状部材における係合部（凹部(2d)) に係合する状態をとる係止部(6c)が形成されていて、配線板状部材に対するロック装置を構成している。
【００１２】
各可動係止手段には、可動導電性シェルにおける透孔内に配される突起を成すイジェクト係止片(6d)が形成されていて、このイジェクト係止片(6d)には、可動導電性シェルがスライドするとき、当該可動導電性シェルにおける透孔に形成されたテーパ部(8a)が係合する。
【００１３】
そして、各可動係止手段に形成されたイジェクト係止片が可動導電性シェルにおける透孔内に配されていて、当該透孔に形成されたテーパ部がイジェクト係止片に係合していないもとで、配線板状部材がハウジングに差込み部を通じて差し込まれると、可動係止手段に形成された係止部が、配線板状部材における係合部に係合して配線板状部材を係止する。それにより、ハウジングに差し込まれた配線板状部材のハウジングからの不所望な抜脱が阻止される。
【００１４】
その後、可動導電性シェルが、それをハウジングに対する配線板状部材の差込み方向とは逆の方向に付勢している弾性部材の付勢力に抗して、ハウジングに対する配線板状部材の差込み方向に沿う方向にスライドせしめられると、スライドする可動導電性シェルにおける透孔に形成されたテーパ部が、可動係止手段に形成されたイジェクト係止片に係合して、そのイジェクト係止片を押圧し、可動係止手段をそれに形成された係止部の配線板状部材における係合部との係合状態を解除する方向に移動させる。それにより、可動係止手段に形成された係止部が配線板状部材における係合部との係合から解放され、ハウジングに差し込まれた配線板状部材がハウジングから抜脱され得る状態におかれる。
【００１５】
さらに、特許文献３に示されるコネクタ装置にあっては、ハウジング(11)の外面部を部分的に覆うものとして配された導電性シェル(14)に、ハウジング内に伸びて、ハウジングにそれに設けられた板状部材差込み部(12)を通じて差し込まれた配線板状部材であるフレキシブル印刷配線基板(40)を係止する状態をとる係止手段（ロック部(20)) が形成されている。また、ハウジングには、それと一体的に形成されて移動可能とされ、一端部が導電性シェルの外方に突出するとともに、他端部が係止手段に係合する係止解除手段（ロック解除部(30)) が設けられている。
【００１６】
係止手段は、ハウジングに差し込まれた配線板状部材における係合部(43;44) に係合して配線板状部材を係止する係止部(23)と係止部を変位可能に支持する弾性ア−ム部(22)とを備えており、弾性ア−ム部に係止解除手段の他端部が係合する。
【００１７】
そして、配線板状部材がハウジングに板状部材差込み部を通じて差し込まれたとき、配線板状部材における係合部に係止手段における係止部が係合して配線板状部材を係止し、それにより、ハウジングに差し込まれた配線板状部材のハウジングからの不所望な抜脱が阻止される。
【００１８】
その後、導電性シエルの外部に突出した係止解除手段の一端部をハウジング内に向けて押圧する押圧操作が行われると、係止解除手段の他端部が係止手段における弾性ア−ム部に係合してその弾性ア−ム部を変位させ、それに伴って、弾性ア−ム部により支持された係止部が配線板状部材における係合部との係合を解除する位置へと変位せしめられる。それにより、可動係止手段に形成された係止部が配線板状部材における係合部との係合から解放され、ハウジングに差し込まれた配線板状部材がハウジングから抜脱され得る状態におかれる。
【先行技術文献】
【特許文献】
【００１９】
【特許文献１】特開２００３−１００３７０号公報（３〜４頁，図１〜１０）
【特許文献２】特開２００９−２３１０６９号公報（３〜４頁，図１〜５）
【特許文献３】特開２０１１−４０２４６号公報（１１〜１６頁，図５〜１１，１５〜１７）
【発明の概要】
【発明が解決しようとする課題】
【００２０】
上述のような、ハウジングに差し込まれたフレキシブル印刷配線基板等の配線板状部材のハウジングからの不所望な抜脱の阻止に関与する係止手段を備えた、配線板状部材の主配線基板への取付けに用いられるコネクタ装置として、従来提案されているものにあっては、係止手段の配線板状部材に対する係止への関与がハウジングに対して回動可能とされたアクチュエータの回動操作に連動して行われる状態，係止手段による配線板状部材に対する係止の解除がハウジングに対して移動可能に設けられた可動導電性シェルの移動に連動して行われる状態、あるいは、導電性シェルに形成された係止手段による配線板状部材に対する係止の解除がハウジングに一体的に設けられた係止解除手段が押圧操作されることにより行われる状態がとられる。
【００２１】
そして、係止手段の配線板状部材に対する係止への関与がハウジングに対して回動可能とされたアクチュエータの回動操作に連動して行われる状態がとられる従来のコネクタ装置の場合には、ハウジングに対して回動可能とされたアクチュエータを備えることが不可欠とされ、そのことが、コネクタ装置の製造コストを嵩ませる要因となる。それに加えて、係止手段を配線板状部材に対する係止あるいは係止の解除に関与させるにあたっては、アクチュエータをハウジングに対して回動させる操作が不可欠とされ、斯かる操作を行うための不所望なスペースをコネクタ装置の周囲に設けることが必要とされる。
【００２２】
また、ハウジングに対して移動可能とされた可動導電性シェルが備えられ、係止手段による配線板状部材に対する係止の解除が可動導電性シェルの移動に連動して行われる状態がとられる従来のコネクタ装置の場合には、可動導電性シェルがハウジングに対して移動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の製造コストを嵩ませる要因となる。さらに、ハウジングに対して可動導電性シェルを移動可能とするための機構が必要とされて、そのことが構成の複雑化をまねき、コネクタ装置の製造コストをなお一層嵩ませることになってしまう。
【００２３】
さらに、導電性シェルに形成された係止手段による配線板状部材に対する係止の解除がハウジングに一体的に設けられた係止解除手段が押圧操作されることにより行われる状態がとられる従来のコネクタ装置の場合には、係止手段がハウジングの外面部を部分的に覆う導電性シェルに形成されるのに対して、係止解除手段がハウジングに一体的に設けられるので、導電性シェル及びハウジングの両方についての構成の複雑化がまねかれてしまう。また、導電性シェルは通常金属材料によって形成され、また、ハウジングは通常絶縁材料によって形成されるので、係止手段が金属材料製とされ、一方、係止解除手段は絶縁材料製とされることになり、その結果、ハウジングに一体的に設けられて移動可能とされる係止解除手段が、導電性シェルに形成される係止手段に比して耐久性において劣るものとなってしまうことが考えられる。
【００２４】
斯かる点に鑑み、本願の特許請求の範囲に記載された発明は、フレキシブル印刷配線基板やフレキシブル平板状ケーブル等とされる配線板状部材の他の配線基板との連結に用いられる、板状部材差込み部が設けられたハウジングとハウジングに配列配置されて設けられる複数のコンタクトとを備えたコネクタ装置であって、ハウジングに対して回動可能とされるアクチュエータ、あるいは、ハウジングに対して移動可能とされる可動導電性シェル等が不要とされ、さらには、導電性シェルとハウジングとに、夫々、配線板状部材に対する係止を行う係止手段と係止手段による配線板状部材に対する係止を解除する係止解除手段とを設ける必要がなく、それにより、構成の簡略化と部品点数の減少とによる製造コストの低減を図ることができ、しかも、配線板状部材に対する係止及び係止の解除を行う手段の耐久性を向上させることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００２５】
本願の特許請求の範囲における請求項１から請求項６までのいずれかに記載された発明（以下、本発明という。）に係るコネクタ装置は、板状部材差込み部が設けられて配線基板上に配されるハウジングと、ハウジングに配列配置され、配線板状部材が板状部材差込み部を通じてハウジングに差し込まれたとき、その配線板状部材における複数の接触端子部に接触接続される複数のコンタクトと、ハウジングにおける複数のコンタクトの配列方向の両端部の夫々に取り付けられて、板状部材差込み部を通じてハウジングに差し込まれた配線板状部材に対する係止を行う係止状態と係止を解除する係止解除状態とをとる係合部材とを備えて成り、係合部材が、ハウジングに固定される固定部と、固定部から伸びてハウジングが配される配線基板に接続される基板接続部と、固定部から複数のコンタクトの配列方向に伸びる可動アーム状部と、可動アーム状部の一端から折返し部をもって折り返して可動アーム状部に折り重なって複数のコンタクトの配列方向に伸びる操作部と、複数のコンタクトの配列方向において折返し部に対向する操作部の端部に設けられ、板状部材差込み部を通じてハウジングに差し込まれた配線板状部材に係合して係合部材に係止状態をとらせるとともに、操作部に加えられる操作に伴って配線板状部材に対する係合を止めて係合部材に係止解除状態をとらせる係止部と、が形成されていることを特徴とするものとされる。
【００２６】
特に、本願の特許請求の範囲における請求項２に記載された本発明に係るコネクタ装置にあっては、係合部材が、金属材料によって一体的に構成され、可動アーム状部がそれに折り重ねられた操作部を伴って弾性変位する状態をとるものとされる。
【００２７】
また、本願の特許請求の範囲における請求項３に記載された本発明に係るコネクタ装置にあっては、係合部材における可動アーム状部と操作部とを相互連結する折返し部が、ハウジングにおける複数のコンタクトの配列方向の端部からその外方に複数のコンタクトの配列方向に沿って突出したものとされ、操作部における折返し部の近傍部分にハウジングの厚み方向の変位を生じさせる操作が加えられるとき、配線板状部材に係合した係止部に配線板状部材に対する係合を止めさせる。
【００２８】
上述のような本発明に係るコネクタ装置にあっては、配線板状部材が配線基板上に配されたハウジングにそれに設けられた板状部材差込み部を通じて差し込まれると、ハウジングに配列配置された複数のコンタクトが、差し込まれた配線板状部材における複数の接触端子部に接触接続されるとともに、ハウジングにおける複数のコンタクトの配列方向の両端部の夫々に取り付けられた係合部材が、ハウジング内において、差し込まれた配線板状部材を係止し、配線板状部材のハウジングからの不所望な抜脱を阻止する。そして、係合部材が配線板状部材を係止したもとで、その係合部材に所定の操作が加えられると、配線板状部材を係止した係合部材が、ハウジング内において、配線板状部材に対する係止を解除して、配線板状部材のハウジングからの抜脱を可能とする。
【００２９】
斯かるもとで、係合部材には、ハウジングに固定される固定部と、固定部から伸びてハウジングが配される配線基板に接続される基板接続部と、固定部から複数のコンタクトの配列方向に伸びる可動アーム状部と、可動アーム状部の一端から折返し部をもって折り返して可動アーム状部に折り重なって複数のコンタクトの配列方向に伸びる操作部と、複数のコンタクトの配列方向において折返し部に対向する操作部の端部に設けられる係止部とが形成される。そして、操作部の端部に設けられた係止部は、板状部材差込み部を通じてハウジングに差し込まれた配線板状部材に係合して、それにより係合部材に係止状態をとらせることができ、また、操作部に所定の操作が加えられるとき、それに伴って配線板状部材に対する係合を止め、それにより係合部材に係止解除状態をとらせることができるものとされる。
【発明の効果】
【００３０】
本発明に係るコネクタ装置においては、上述のように、ハウジングにそれに設けられた板状部材差込み部を通じて差し込まれた配線板状部材に対しての、ハウジングにおける複数のコンタクトの配列方向の両端部の夫々に取り付けられた係合部材による、配線板状部材のハウジングからの不所望な抜脱を阻止するための係止、及び、配線板状部材のハウジングからの抜脱を可能とするための係止の解除を行うにあたり、例えば、ハウジングに対して回動可能とされるアクチュエータ、あるいは、ハウジングに対して移動可能とされる可動導電性シェル等が不要とされ、さらには、ハウジングの外面部を覆う導電性シェルとハウジングとに夫々係止手段と係止解除手段とを設けることが必要とされず、それにより、構成の簡略化と部品点数の減少とによる製造コストの低減を図ることができる。
【００３１】
しかも、配線板状部材に対する係止及び係止の解除を行う手段である係合部材は、例えば、本願の特許請求の範囲における請求項２に記載された本発明に係るコネクタ装置の場合のように、金属材料によって一体的に構成されて、係止手段が導電性シェルに設けられて係止解除手段がハウジングに設けられるというものとはされないので、配線板状部材に対する係止及び係止の解除を行う手段の耐久性を向上させることができることになる。
【００３２】
また、ハウジングに差し込まれた配線板状部材に対する係止及び係止の解除を行う係合部材が、ハウジングに固定される固定部と、固定部から伸びてハウジングが配される配線基板に接続される基板接続部と、固定部から複数のコンタクトの配列方向に伸びる可動アーム状部と、可動アーム状部の一端から折返し部をもって折り返して可動アーム状部に折り重なって複数のコンタクトの配列方向に伸びる操作部と、複数のコンタクトの配列方向において折返し部に対向する操作部の端部に設けられる係止部とが形成されたものとされ、操作部の端部に設けられた係止部が、板状部材差込み部を通じてハウジングに差し込まれた配線板状部材に係合して、それにより係合部材に係止状態をとらせ、また、操作部に所定の操作が加えられるとき、それに伴って配線板状部材に対する係合を止め、それにより係合部材に係止解除状態をとらせる。従って、係合部材は、配線板状部材を係止する係止部と係止部による配線板状部材に対する係止を解除する操作部とを含む全体が一体に形成される、簡単で容易に得ることができる構成を有していることになる。
【００３３】
そして、このような本発明に係るコネクタ装置にあっては、配線板状部材をハウジングにそれに設けられた板状部材差込み部を通じて差し込むだけで、配線板状部材に対しての係合部材における係止部による係止を行うことができ、それとともに、配線板状部材に対しての係止部による係止の解除を、係合部材における操作部に、例えば、押圧操作とされる所定の操作を加えるだけで行うことができるので、配線板状部材についての係合部材による係止及び係止の解除を極めて簡単な操作によって行うことができるとともに、斯かる操作のために部材の周囲に不所望なスペースを設けることが必要とされない。
【００３４】
特に、本願の特許請求の範囲における請求項３に記載された本発明に係るコネクタ装置にあっては、係合部材における可動アーム状部と操作部とを相互連結する折返し部が、ハウジングにおける複数のコンタクトの配列方向の端部からその外方に複数のコンタクトの配列方向に沿って突出したものとされ、操作部は、それにおける折返し部の近傍部分にハウジングの厚み方向の変位を生じさせる操作が加えられるとき、配線板状部材に係合した係止部に配線板状部材に対する係合を止めさせる。それにより、係止部に配線板状部材に対する係合を止めさせるための操作部に対する所定の操作が、ハウジングの端部からその外方に複数のコンタクトの配列方向に沿って突出する折返し部の近傍となる操作部の一部分に対する操作とされるので、極めて行い易く、確実に行うことができるものとされる。
【図面の簡単な説明】
【００３５】
【図１】本発明に係るコネクタ装置の一例をそれに装着されるフレキシブル印刷配線基板と共に示す斜視図である。
【図２】本発明に係るコネクタ装置の一例を示す平面図である。
【図３】本発明に係るコネクタ装置の一例を示す正面図である。
【図４】図３におけるIV−IV線断面を示す断面図である。
【図５】本発明に係るコネクタ装置の一例が備える係合部材を示す斜視図である。
【図６】本発明に係るコネクタ装置の一例をそれに装着されたフレキシブル印刷配線基板と共に示す斜視図である。
【図７】本発明に係るコネクタ装置の一例が備える係合部材が、コネクタ装置の一例が備えるハウジングに差し込まれたフレキシブル印刷配線基板を係止した状態を示す断面図である。
【図８】本発明に係るコネクタ装置の一例が備える係合部材が、コネクタ装置の一例が備えるハウジングに差し込まれたフレキシブル印刷配線基板を係止した状態を示す断面図である。
【図９】本発明に係るコネクタ装置の一例が備える係合部材が、コネクタ装置の一例が備えるハウジングに差し込まれたフレキシブル印刷配線基板に対する係止を解除した状態を示す断面図である。
【図１０】本発明に係るコネクタ装置の一例が備える係合部材が、コネクタ装置の一例が備えるハウジングに差し込まれたフレキシブル印刷配線基板に対する係止を解除した状態を示す断面図である。
【発明を実施するための形態】
【００３６】
本発明を実施するための形態は、以下に述べられる本発明についての実施例をもって説明される。
【実施例】
【００３７】
図１（斜視図）は、本発明に係るコネクタ装置の一例をそれに装着されるフレキシブル印刷配線基板の部分と共に示し、図２（平面図）及び図３（正面図）は、本発明に係るコネクタ装置の一例を示す。
【００３８】
図１，図２及び図３において、本発明に係るコネクタ装置の一例を成すコネクタ装置１０は、合成樹脂等の絶縁材料によって形成されたハウジング１１を備えている。ハウジング１１には、その正面側端面部に板状部材差込み部１２が設けられており、板状部材差込み部１２からハウジング１１の内部へと板状部材収容空間が伸びている。
【００３９】
ハウジング１１は、例えば、図示されていない配線基板に配され、それにより、コネクタ装置１０の全体が配線基板に取り付けられたものとされる。その際、ハウジング１１における正面側端面部とそれに対向する背面側端面部とに挟まれた、ハウジング１０の厚み方向において相互対向する、一対の端面部分のうちの一方が配線基板に対面する端面部分とされて他方が開放された端面部分とされる。以下においては、配線基板に対面するハウジングの一端面部分を下方端面部分１１ａといい、それに対向するハウジングの他端面部分を上方端面部分１１ｂという。そして、正面側端面部に設けられた板状部材差込み部１２を通じて、例えば、フレキシブル印刷配線基板１３が、配線板状部材を成すものとして、ハウジング１１に差し込まれる。その際におけるハウジング１１への板状部材差込み部１２を通じたフレキシブル印刷配線基板１３の差込み方向は、矢印Ｐにより示される。以下、矢印Ｐにより示される方向をＰ方向ということとする。
【００４０】
ハウジング１１には、その内部に、各々が弾性導電材料で形成された複数のコンタクト１４が、図３に示されるように、ハウジング１１が配される配線基板の面に沿うことになる方向である、ハウジング１１の長手方向（矢印Ｌにより示される方向）に沿って配列配置されて設けられている。以下、矢印Ｌにより示される方向をＬ方向ということとし、従って、複数のコンタクト１４の配列方向は、Ｌ方向であることになる。
【００４１】
複数のコンタクト１４は、配線板状部材を成すフレキシブル印刷配線基板１３に配列配置された複数の接触端子部１５に接触接続される信号用コンタクトとして設けられているが、他のフレキシブル印刷配線基板における複数の信号接続端子部及び接地接続部に接触接続される信号用及び接地用コンタクトとして用いられてもよい。
【００４２】
図３におけるIV−IV線断面をあらわす図４に示されるように、複数のコンタクト１４の夫々は、ハウジング１１に固定されてハウジング１１内を背面側端面部側から正面側端面部側に向かって伸びる固定ビーム部２１と、ハウジング１１内において背面側端面部側から正面側端面部側に向かって伸びて移動可能とされた可動ビーム部２２と、ハウジング１１における背面側端面部側の位置において固定ビーム部２１と可動ビーム部２２とを相互連結する連結部２３とを有している。そして、図２及び図４に示されるように、固定ビーム部２１の一端には、それからハウジング１１における背面側端面部の外部へと伸びる接続端子部２４が設けられており、また、固定ビーム部２１の他端には接点部２５が形成されている。接続端子部２４は、ハウジング１１が配された配線基板に設けられた配線端子に、例えば、半田付けにより接続される。さらに、連結部２３からハウジング１１における正面側端面部側に向かって伸びる可動ビーム部２２の先端部分には、接点部２６が形成されている。そして、複数のコンタクト１４は、例えば、ハウジング１１の背面側端面部側から、ハウジング１１の内部へと押圧挿入されて、各々の固定ビーム部２１がハウジング１１における下方端面部分１１ａに固定される。
【００４３】
このようなもとで、ハウジング１１に板状部材差込み部１２を通じて差し込まれるフレキシブル印刷配線基板１３は、それにおける複数の接触端子部１５がハウジング１１に配列配置された複数のコンタクト１４に夫々対応する位置をとる状態におかれる。そして、複数のコンタクト１４の夫々における可動ビーム部２２の先端部分に形成された接点部２６が、ハウジング１１に差し込まれたフレキシブル印刷配線基板１３における複数の接触端子部１５のうちの対応するものに接触接続される。それにより、ハウジング１１に差し込まれたフレキシブル印刷配線基板１３における複数の接触端子部１５が、複数のコンタクト１４を介して、ハウジング１１が配された配線基板に設けられた配線端子に連結される。
【００４４】
なお、複数のコンタクト１４の夫々における固定ビーム部２１の他端に形成された接点部２５は、ハウジング１１に差し込まれたフレキシブル印刷配線基板１３における複数の接触端子部１５が設けられた面とは反対側の面に当接する。
【００４５】
また、コネクタ装置１０は、ハウジング１１におけるＬ方向、即ち、複数のコンタクト１４の配列方向の両端部に夫々取り付けられた、例えば、金属材料によって形成された一対の係合部材３０及び３１を備えている。係合部材３０及び３１の夫々は、配線板状部材を成すフレキシブル印刷配線基板１３が板状部材差込み部１２を通じてハウジング１１に差し込まれたとき、フレキシブル印刷配線基板１３に対する係止を行う係止状態とその係止を解除する係止解除状態とをとるものとされている。
【００４６】
ハウジング１１におけるＬ方向の両端部の一方に取り付けられた係合部材３０は、例えば、弾性金属板材に屈曲加工が施されて一体形成される。そして、係合部材３０には、図５（斜視図）に示されるように、ハウジング１１における下方端面部分１１ａに固定される固定部３２と、固定部３２から伸びてハウジング１１が配された配線基板に接続される基板接続部３３と、固定部３２に連結部３４をもって連結されて固定部３２からＬ方向に伸びることになる可動アーム状部３５と、可動アーム状部３５の一端から折返し部３６をもって折り返して可動アーム状部３５に折り重なってＬ方向に伸びることになる操作部３７と、操作部３７におけるＬ方向において折返し部３６に対向する端部に設けられた係止部３８とが形成されている。
【００４７】
基板接続部３３は、ハウジング１１が配線基板に固定されるとき、配線基板に設けられた導体部分に半田付けされて接続され、それにより、配線基板に対するその上に配されたハウジング１１の堅固な固定に貢献する。可動アーム状部３５は、固定部３２と可動アーム状部３５とを相互連結する連結部３４を支軸部分として、固定部３２及び基板接続部３３に対して近接及び離隔する方向に揺動する弾性変位を行うことができる。
【００４８】
操作部３７には、例えば、固定部３２及び基板接続部３３に向かう方向の押圧操作とされる操作が加えられる。斯かる操作が操作部３７に加えられるときには、可動アーム状部３５が、それに折り重ねられた操作部３７を伴って、固定部３２及び基板接続部３３に近接する方向の弾性変位を生じる。また、係止部３８は、フレキシブル印刷配線基板１３が板状部材差込み部１２を通じてハウジング１１に差し込まれたとき、そのフレキシブル印刷配線基板１３に係合して、係合部材３０にフレキシブル印刷配線基板１３に対する係止を行う係止状態をとらせるとともに、操作部３７に加えられる操作に伴ってフレキシブル印刷配線基板１３に対する係合を止め、係合部材３０にフレキシブル印刷配線基板１３に対する係止を解除する係止解除状態をとらせる。
【００４９】
さらに、可動アーム状部３５と操作部３７とを相互連結することになる折返し部３６は、操作部３７がハウジング１１におけるＬ方向の端部に取り付けられたもとにあっては、当該端部からその外方にＬ方向に沿って突出するものとされる。そして、操作部３７に加えられる操作は、例えば、操作部３７における折返し部３６の近傍部分に加えられる押圧操作とされ、斯かる操作は、可動アーム状部３５に、操作部３７を伴っての、固定部３２及び基板接続部３３に近接する方向の弾性変位、即ち、ハウジング１１の厚み方向の弾性変位を生じさせる。このとき、操作部３７におけるＬ方向において折返し部３６に対向する端部に設けられた係止部３８は、可動アーム状部３５の操作部３７を伴っての弾性変位により、ハウジング１１の厚み方向において固定部３２から離隔するように変位せしめられる。
【００５０】
係止部３８は、操作部３７における端部から固定部３２側に向かって、即ち、図５において下方に向かって突出するものとされている。そして、係止部３８は、ハウジング１１への板状部材差込み部１２を通じたフレキシブル印刷配線基板１３の差込み方向であるＰ方向に沿って下降傾斜することになる傾斜面３８ａを形成しており、傾斜面３８ａを形成する部分を、フレキシブル印刷配線基板１３に設けられた切欠き係合部４０に係合させる。フレキシブル印刷配線基板１３が板状部材差込み部１２を通じてハウジング１１に差し込まれたとき、係止部３８が形成する傾斜面３８ａは、それに当接するフレキシブル印刷配線基板１３の端縁部４１を係止部３８を乗り越させるように案内する。
【００５１】
このように構成された係合部材３０が、ハウジング１１におけるＬ方向の端部に、固定部３２がハウジング１１における下方端面部分１１ａに固定されて取り付けられたときには、操作部３７の端部に設けられた係止部３８が、ハウジング１１の正面側端面部に設けられた板状部材差込み部１２からハウジング１１の内部へと伸びる板状部材収容空間内となる位置に配され、また、操作部３７が、ハウジング１１における上方端面部分１１ｂに形成された切欠き部４３を通じてハウジング１１の外部に臨む位置に配され、折返し部３６が、ハウジング１１におけるＬ方向の端部からその外方にＬ方向に沿って突出している。
【００５２】
それにより、フレキシブル印刷配線基板１３がハウジング１１に板状部材差込み部１２を通じて差し込まれたときには、板状部材収容空間内となる位置に配された係止部３８がフレキシブル印刷配線基板１３における切欠き係合部４０に係合し、それにより係合部材３０がフレキシブル印刷配線基板１３に対する係止を行う係止状態をとる。そして、係止部３８がフレキシブル印刷配線基板１３における切欠き係合部４０に係合して、係合部材３０がフレキシブル印刷配線基板１３に対する係止を行う係止状態をとるもとで、ハウジング１１における上方端面部分１１ｂに形成された切欠き部４３を通じてハウジング１１の外部に臨むものとされた操作部３７における折返し部３６の近傍部分に、ハウジング１１の厚み方向の押圧操作が加えられると、可動ア−ム状部３５が、操作部３７を伴って、固定部３２と可動アーム状部３５とを相互連結する連結部３４を支軸部分とし、固定部３２及び基板接続部３３に近接する方向に揺動する弾性変位を生じる。それにより、係止部３８が、ハウジング１１の厚み方向において固定部３２から離隔するように変位せしめられて、フレキシブル印刷配線基板１３における切欠き係合部４０との係合を止め、係合部材３０がフレキシブル印刷配線基板１３に対する係止を解除する係止解除状態をとる。
【００５３】
その後、操作部３７における折返し部３６の近傍部分に押圧操作が加えられなくなると、可動ア−ム状部３５が、自らの弾性復元力により、操作部３７を伴って、固定部３２と可動アーム状部３５とを相互連結する連結部３４を支軸部分とし、固定部３２及び基板接続部３３から離隔する方向に揺動する弾性復元変位を生じて、元の位置に戻る。それに伴い、操作部３７の端部に設けられた係止部３８も元の位置に戻る。
【００５４】
斯かる構成のもとで、係止部３８は、固定部３２と可動アーム状部３５とを相互連結する連結部３４を支軸部分として揺動する可動アーム状部３５の操作部３７を伴った弾性変位によって、ハウジング１１の厚み方向に変位せしめられるものとされるので、係止部３８の変位は、そのために要求される操作力が比較的小で済むことになるもとで、比較的大なるストロ−クをもって行われる。従って、係止部３８がフレキシブル印刷配線基板１３における切欠き係合部４０との係合を止めて、係合部材３０がフレキシブル印刷配線基板１３に対する係止を解除する状態が、容易、かつ、確実に得られることになる。
【００５５】
また、可動アーム状部３５に対して操作部３７が折返し部３６を介して折り重ねられ、可動アーム状部３５と操作部３７とが二重構造をとるものとされるので、係合部材３０は、機械的強度が増加せしめられて、例えば、操作部３７に加えられる操作力により塑性変形がもたらされる事態が回避されるものとされる。
【００５６】
そして、操作部３７は、ハウジング１１における上方端面部分１１ｂに形成された切欠き部４３を通じてハウジング１１の外部に臨む位置に配されており、その折返し部３６の近傍部分に押圧操作が加えられない状態のもとにおいて、ハウジング１１の厚み方向においてハウジング１１における上方端面部分１１ｂの外方へ突出することが要されないものとされるので、コネクタ装置１０は、ハウジング１１の厚み方向の寸法の低減を図ることができるものとなる。
【００５７】
また、ハウジング１１におけるＬ方向の両端部の他方に取り付けられた係合部材３１も、例えば、弾性金属板材に屈曲加工が施されて一体形成され、係合部材３１は、係合部材３０とは鏡面対称を成す構成を有するものとされる。従って、係合部材３１には、係合部材３０に形成された固定部３２と基板接続部３３と可動アーム状部３５と操作部３７と係止部３８とに夫々相当する、ハウジング１１における下方端面部分１１ａに固定される固定部と、固定部から伸びてハウジング１１が配された配線基板に接続される基板接続部４４（図３）と、固定部に連結部をもって連結されて固定部からＬ方向に伸びる可動アーム状部４５と、可動アーム状部４５の一端から折返し部４６をもって折り返して可動アーム状部４５に折り重なってＬ方向に伸びる操作部４７と、操作部４７におけるＬ方向において折返し部４６に対向する端部に設けられた係止部とが形成されている。
【００５８】
係合部材３１の基板接続部４４も、ハウジング１１が配線基板に固定されるとき、配線基板に設けられた導体部分に半田付けされて接続され、それにより、配線基板に対するその上に配されたハウジング１１の堅固な固定に貢献する。可動アーム状部４５は、固定部と可動アーム状部４５とを相互連結する連結部を支軸部分として、固定部及び基板接続部４４に対して近接及び離隔する方向に揺動する弾性変位を行うことができる。
【００５９】
操作部４７には、例えば、固定部及び基板接続部４４に向かう方向の押圧操作とされる操作が加えられる。斯かる操作が操作部４７に加えられるときには、可動アーム状部４５が、それに折り重ねられた操作部４７を伴って、固定部及び基板接続部４４に近接する方向の弾性変位を生じる。また、操作部４７の端部に設けられた係止部は、フレキシブル印刷配線基板１３が板状部材差込み部１２を通じてハウジング１１に差し込まれたとき、そのフレキシブル印刷配線基板１３に係合して、係合部材３１にフレキシブル印刷配線基板１３に対する係止を行う係止状態をとらせるとともに、操作部４７に加えられる操作に伴ってフレキシブル印刷配線基板１３に対する係合を止め、係合部材３１にフレキシブル印刷配線基板１３に対する係止を解除する係止解除状態をとらせる。
【００６０】
さらに、可動アーム状部４５と操作部４７とを相互連結することになる折返し部４６は、操作部４７がハウジング１１におけるＬ方向の端部に取り付けられたもとにあっては、当該端部からその外方にＬ方向に沿って突出するものとされる。そして、操作部４７に加えられる操作は、例えば、操作部４７における折返し部４６の近傍部分に加えられる押圧操作とされ、斯かる操作は、可動アーム状部４５に、操作部４７を伴っての、固定部及び基板接続部４４に近接する方向の弾性変位、即ち、ハウジング１１の厚み方向の弾性変位を生じさせる。このとき、操作部４７におけるＬ方向において折返し部４６に対向する端部に設けられた係止部は、可動アーム状部４５の操作部４７を伴っての弾性変位により、ハウジング１１の厚み方向において固定部から離隔するように変位せしめられる。
【００６１】
操作部４７の端部に設けられた係止部は、操作部４７における端部から固定部側に向かって、即ち、図１及び図３において下方に向かって突出するものとされている。そして、斯かる係止部は、ハウジング１１への板状部材差込み部１２を通じたフレキシブル印刷配線基板１３の差込み方向であるＰ方向に沿って下降傾斜することになる傾斜面を形成しており、その傾斜面を形成する部分を、フレキシブル印刷配線基板１３に設けられた切欠き係合部５０に係合させる。フレキシブル印刷配線基板１３が板状部材差込み部１２を通じてハウジング１１に差し込まれたとき、操作部４７の端部に設けられた係止部が形成する傾斜面は、それに当接するフレキシブル印刷配線基板１３の端縁部５１を係止部を乗り越させるように案内する。
【００６２】
このように構成された係合部材３１が、ハウジング１１におけるＬ方向の端部に、固定部がハウジング１１における下方端面部分１１ａに固定されて取り付けられたときには、操作部４７の端部に設けられた係止部が、ハウジング１１の正面側端面部に設けられた板状部材差込み部１２からハウジング１１の内部へと伸びる板状部材収容空間内となる位置に配され、また、操作部４７が、ハウジング１１における上方端面部分１１ｂに形成された切欠き部５２を通じてハウジング１１の外部に臨む位置に配され、折返し部４６が、ハウジング１１におけるＬ方向の端部からその外方にＬ方向に沿って突出している。
【００６３】
それにより、フレキシブル印刷配線基板１３がハウジング１１に板状部材差込み部１２を通じて差し込まれたときには、板状部材収容空間内となる位置に配された係止部がフレキシブル印刷配線基板１３における切欠き係合部５０に係合し、それにより係合部材３１がフレキシブル印刷配線基板１３に対する係止を行う係止状態をとる。そして、係止部がフレキシブル印刷配線基板１３における切欠き係合部５０に係合して、係合部材３１がフレキシブル印刷配線基板１３に対する係止を行う係止状態をとるもとで、ハウジング１１における上方端面部分１１ｂに形成された切欠き部５２を通じてハウジング１１の外部に臨むものとされた操作部４７における折返し部４６の近傍部分に、ハウジング１１の厚み方向の押圧操作が加えられると、可動ア−ム状部４５が、操作部４７を伴って、固定部と可動アーム状部４５とを相互連結する連結部を支軸部分とし、固定部及び基板接続部４４に近接する方向に揺動する弾性変位を生じる。それにより、係止部が、ハウジング１１の厚み方向において固定部から離隔するように変位せしめられて、フレキシブル印刷配線基板１３における切欠き係合部５０との係合を止め、係合部材３１がフレキシブル印刷配線基板１３に対する係止を解除する係止解除状態をとる。
【００６４】
その後、操作部４７における折返し部４６の近傍部分に押圧操作が加えられなくなると、可動ア−ム状部４５が、自らの弾性復元力により、操作部４７を伴って、固定部と可動アーム状部４５とを相互連結する連結部を支軸部分とし、固定部及び基板接続部４４から離隔する方向に揺動する弾性復元変位を生じて、元の位置に戻る。それに伴い、操作部４７の端部に設けられた係止部も元の位置に戻る。
【００６５】
斯かる構成のもとで、操作部４７の端部に設けられた係止部は、固定部と可動アーム状部４５とを相互連結する連結部を支軸部分として揺動する可動アーム状部４５の操作部４７を伴った弾性変位によって、ハウジング１１の厚み方向に変位せしめられるものとされるので、係止部の変位は、そのために要求される操作力が比較的小で済むことになるもとで、比較的大なるストロ−クをもって行われる。従って、係止部がフレキシブル印刷配線基板１３における切欠き係合部５０との係合を止めて、係合部材３１がフレキシブル印刷配線基板１３に対する係止を解除する状態が、容易、かつ、確実に得られることになる。
【００６６】
また、可動アーム状部４５に対して操作部４７が折返し部４６を介して折り重ねられ、可動アーム状部４５と操作部４７とが二重構造をとるものとされるので、係合部材３１は、機械的強度が増加せしめられて、例えば、操作部４７に加えられる操作力により塑性変形がもたらされる事態が回避されるものとされる。
【００６７】
そして、操作部４７は、ハウジング１１における上方端面部分１１ｂに形成された切欠き部５２を通じてハウジング１１の外部に臨む位置に配されており、その折返し部４６の近傍部分に押圧操作が加えられない状態のもとにおいて、ハウジング１１の厚み方向においてハウジング１１における上方端面部分１１ｂの外方へ突出することが要されないものとされるので、コネクタ装置１０は、ハウジング１１の厚み方向の寸法の低減を図ることができるものとなる。
【００６８】
このようなもとで、コネクタ装置１０のハウジング１１が、その下方端面部分１１ａを配線基板に対面させて配線基板に取り付けられたもとで、フレキシブル印刷配線基板１３が板状部材差込み部１２を通じてハウジング１１に差し込まれる際には、上述の図１に示されるように、フレキシブル印刷配線基板１３における複数の接触端子部１５が配列配置された部分の先端部が、ハウジング１１の正面側端面部に設けられた板状部材差込み部１２に対向する位置に配される。そして、フレキシブル印刷配線基板１３は、それにおける複数の接触端子部１５がコネクタ装置１０のハウジング１１に配列配置された複数のコンタクト１４に夫々対応する位置をとる状態におかれる。
【００６９】
このとき、コネクタ装置１０のハウジング１１における係合部材３０が取り付けられた端部においては、係合部材３０が、その固定部３２がハウジング１１における下方端面部分１１ａに固定され、その操作部３７の端部に設けられた係止部３８が形成する傾斜面３８ａが、ハウジング１１の正面側端面部に設けられた板状部材差込み部１２からハウジング１１の内部へと伸びる板状部材収容空間内に臨み、その操作部３７がハウジング１１における上方端面部分１１ｂに設けられた切欠き部４３を通じてハウジング１１の外部に臨む位置に配され、その固定部３２から伸びる基板接続部３３がハウジング１１の外部へと突出する状態をもって配されている。そして、フレキシブル印刷配線基板１３は、それにおける切欠き係合部４０が係合部材３０の操作部３７の端部に設けられた係止部３８に対応する位置をとる。
【００７０】
同様に、コネクタ装置１０のハウジング１１における係合部材３１が取り付けられた端部においても、係合部材３１が、その固定部がハウジング１１における下方端面部分１１ａに固定され、その操作部４７の端部に設けられた係止部が形成する傾斜面が、ハウジング１１の正面側端面部に設けられた板状部材差込み部１２からハウジング１１の内部へと伸びる板状部材収容空間内に臨み、その操作部４７がハウジング１１における上方端面部分１１ｂに設けられた切欠き部５２を通じてハウジング１１の外部に臨む位置に配され、その固定部から伸びる基板接続部４４がハウジング１１の外部へと突出する状態をもって配されている。そして、フレキシブル印刷配線基板１３は、それにおける切欠き係合部５０が係合部材３１の操作部４７の端部に設けられた係止部に対応する位置をとる。
【００７１】
その後、図６に示されるように、フレキシブル印刷配線基板１３は、コネクタ装置１０のハウジング１１に、その正面側端面部に設けられた板状部材差込み部１２を通じて差し込まれる。その際には、先ず、フレキシブル印刷配線基板１３における複数の接触端子部１５が配列配置された部分を挟む一対の端縁部４１及び５１が、係合部材３０の操作部３７における端部に設けられた係止部３８が形成する傾斜面３８ａ及び係合部材３１の操作部４７における端部に設けられた係止部が形成する傾斜面に夫々当接する。
【００７２】
続いて、フレキシブル印刷配線基板１３における端縁部４１及び５１は、フレキシブル印刷配線基板１３のハウジング１１に対する差込み移動に伴って、夫々、係合部材３０の係止部３８が形成する傾斜面３８ａ及び係合部材３１の係止部が形成する傾斜面による案内を受けて係合部材３０の係止部３８及び係合部材３１の係止部を乗り越える。このとき、係合部材３０の可動アーム状部３５及び係合部材３１の可動アーム状部４５は、一旦、操作部３７及び操作部４７を伴った揺動を生じて、係合部材３０の固定部３２及び係合部材３１の固定部に夫々近接する位置へと変位し、その後、自らの弾性復元力によって元の位置に戻る。それにより、図７及び図８に示されるように、係合部材３０における係止部３８が、フレキシブル印刷配線基板１３に設けられた切欠き係合部４０に係合して、係合部材３０がフレキシブル印刷配線基板１３を係止する係止状態をとるとともに、係合部材３１における係止部が、フレキシブル印刷配線基板１３に設けられた切欠き係合部５０に係合して、係合部材３１がフレキシブル印刷配線基板１３を係止する係止状態をとる。
【００７３】
係合部材３０における係止部３８が切欠き係合部４０に係合するとともに係合部材３１における係止部が切欠き係合部５０に係合する状態が得られると、フレキシブル印刷配線基板１３のハウジング１１への差込みが完了し、フレキシブル印刷配線基板１３は、ハウジング１１に対する正規の差込み位置をとり、係合部材３０及び３１により係止されて、ハウジング１１からの不所望な抜脱が阻止される状態におかれる。即ち、フレキシブル印刷配線基板１３は、ハウジング１１に板状部材差込み部１２を通じて適正に差し込まれるだけで、係合部材３０及び３１により係止されて、ハウジング１１からの不所望な抜脱が阻止される状態におかれることになる。
【００７４】
このようにして、フレキシブル印刷配線基板１３がハウジング１１への板状部材差込み部１２を通じての差込みを完了して正規の差込み位置をとるもとにおいては、ハウジング１１に配列配置された複数のコンタクト１４が、各々の可動ビーム部２２の先端部分に形成された接点部２６をハウジング１１に差し込まれたフレキシブル印刷配線基板１３における複数の接触端子部１５に夫々弾性当接させて、複数の接触端子部１５に夫々接触接続された状態におかれる。それにより、ハウジング１１に差し込まれたフレキシブル印刷配線基板１３における複数の接触端子部１５が、複数のコンタクト１４を介して、ハウジング１１が配された配線基板に設けられた配線端子に連結される。斯かる状態は、フレキシブル印刷配線基板１３がハウジング１１に板状部材差込み部１２を通じて適正に差し込まれるだけで得られる。
【００７５】
その後、図９及び図１０に示されるように、係合部材３０において、ハウジング１１の上方端面部分１１ｂに形成された切欠き部４３を通じてハウジング１１の外部に臨む操作部３７における折返し部３６の近傍部分に、ハウジング１１の厚み方向の押圧操作が加えられると、可動ア−ム状部３５が、操作部３７を伴って、固定部３２と可動アーム状部３５とを相互連結する連結部３４を支軸部分とし、固定部３２及び基板接続部３３に近接する方向に揺動する弾性変位を生じる。それにより、係止部３８が、ハウジング１１の厚み方向において固定部３２から離隔するように変位せしめられて、フレキシブル印刷配線基板１３における切欠き係合部４０との係合を止め、それにより、係合部材３０にフレキシブル印刷配線基板１３に対する係止を解除する係止解除状態をとらせる。
【００７６】
同様に、係合部材３１においても、ハウジング１１の上方端面部分１１ｂに形成された切欠き部５２を通じてハウジング１１の外部に臨む操作部４７における折返し部４６の近傍部分に、ハウジング１１の厚み方向の押圧操作が加えられると、可動ア−ム状部４５が、操作部４７を伴って、固定部と可動アーム状部４５とを相互連結する連結部を支軸部分とし、固定部及び基板接続部４４に近接する方向に揺動する弾性変位を生じる。それにより、操作部４７の端部に設けられた係止部が、ハウジング１１の厚み方向において固定部から離隔するように変位せしめられて、フレキシブル印刷配線基板１３における切欠き係合部５０との係合を止め、それにより、係合部材３１にフレキシブル印刷配線基板１３に対する係止を解除する係止解除状態をとらせる。
【００７７】
このようにして、係合部材３０及び３１によるフレキシブル印刷配線基板１３に対する係止が解除されることにより、ハウジング１１に差し込まれたフレキシブル印刷配線基板１３が、ハウジング１１から適正に抜脱され得る状態におかれる。
【００７８】
そして、係合部材３０における操作部３７及び係合部材３１における操作部４７に、押圧操作とされる操作が加えられなくなると、係合部材３０の可動アーム状部３５及び係合部材３１の可動アーム状部４５の夫々は、自らの弾性復元力により、操作部３７または操作部４７を伴って元の位置に戻る。
【００７９】
なお、上述の例にあっては、フレキシブル印刷配線基板１３が一対の切欠き係合部４０及び５０が設けられたものとされているが、フレキシブル印刷配線基板１３は、一対の切欠き係合部４０及び５０に代えて、一対の係合孔が設けられたものとされてもよく、斯かる場合にも、上述と同様にして、係合部材３０における係止部３８及び係合部材３１における係止部によるフレキシブル印刷配線基板１３に対する係止及び係止の解除が行われる。
【００８０】
上述のようなコネクタ装置１０が用いられてそれにおけるハウジング１１に配線板状部材を成すフレキシブル印刷配線基板１３が差し込まれるもとにあっては、フレキシブル印刷配線基板１３をコネクタ装置１０におけるハウジング１１に板状部材差込み部１２を通じて差し込むだけで、ハウジング１１に差し込まれたフレキシブル印刷配線基板１３における複数の接触端子部１５が、複数のコンタクト１４を介して、ハウジング１１が配された配線基板に設けられた信号端子部に連結されるとともに、ハウジング１１に差し込まれたフレキシブル印刷配線基板１３が、係合部材３０及び３１によって適正に係止され、フレキシブル印刷配線基板１３のハウジング１１からの不所望な抜脱が阻止される状態を得ることができる。また、それとともに、フレキシブル印刷配線基板１３に対しての係合部材３０及び３１による係止の解除を、係合部材３０における操作部３７及び係合部材３１における操作部４７に、例えば、押圧操作とされる所定の操作を加えるだけで行うことができるので、フレキシブル印刷配線基板１３についての係合部材３０及び３１による係止及び係止の解除を極めて簡単な操作によって行うことができるとともに、斯かる操作のために係合部材３０及び３１の周囲に不所望なスペースを設けることが必要とされない。
【００８１】
そして、コネクタ装置１０にあっては、ハウジング１１に差し込まれたフレキシブル印刷配線基板１３に対しての、ハウジング１１に取り付けられた係合部材３０及び３１による、フレキシブル印刷配線基板１３のハウジング１１からの不所望な抜脱を阻止するための係止、及び、フレキシブル印刷配線基板１３のハウジング１１からの抜脱を可能とするための係止の解除を行うにあたり、ハウジング１１に対して回動可能とされるアクチュエータやハウジング１１に対して移動可能とされる可動導電性シェル等が不要とされ、さらには、ハウジング１１の外面部を覆う導電性シェルとハウジングとに夫々係止手段と係止解除手段とを設けることが必要とされず、それにより、構成の簡略化と部品点数の減少とによる製造コストの低減を図ることができる。
【００８２】
また、ハウジング１１に差し込まれたフレキシブル印刷配線基板１３に対する係止及び係止の解除を行う係合部材３０及び３１の夫々を、フレキシブル印刷配線基板１３を係止する係止部と係止部によるフレキシブル印刷配線基板１３に対する係止を解除する操作部とを含む全体が一体形成される、簡単で容易に得ることができる構成を有したものとすることができる。しかも、係合部材３０及び３１の夫々は、フレキシブル印刷配線基板１３に対する係止及び係止の解除を行う手段であって、例えば、弾性金属板材に屈曲加工が施されて一体的に形成されるものとされるので、フレキシブル印刷配線基板１３に対する係止及び係止の解除を行う手段の耐久性を向上させることができることになる。
【００８３】
さらに、係合部材３０における可動アーム状部３５と操作部３７とを相互連結する折返し部３６及び係合部材３１における可動アーム状部４５と操作部４７とを相互連結する折返し部４６の夫々が、ハウジング１１における端部からその外方にＬ方向に沿って突出したものとされ、操作部３７が、それにおける折返し部３６の近傍部分にハウジング１１の厚み方向の変位を生じさせる操作が加えられるとき、フレキシブル印刷配線基板１３に係合した係止部３８にフレキシブル印刷配線基板１３に対する係合を止めさせ、また、操作部４７が、それにおける折返し部４６の近傍部分にハウジング１１の厚み方向の変位を生じさせる操作が加えられるとき、フレキシブル印刷配線基板１３に係合した係止部にフレキシブル印刷配線基板１３に対する係合を止めさせる。それにより、係合部材３０における係止部３８にフレキシブル印刷配線基板１３に対する係合を止めさせるための操作部３７に対する所定の操作、及び、係合部材３１における係止部にフレキシブル印刷配線基板１３に対する係合を止めさせるための操作部４７に対する所定の操作が、ハウジング１１の端部からその外方にＬ方向に沿って突出する折返し部３６の近傍となる操作部３７の一部分に対する操作、及び，ハウジング１１の端部からその外方にＬ方向に沿って突出する折返し部４６の近傍となる操作部４７の一部分に対する操作とされるので、極めて行い易く、確実に行うことができるものとされる。
【産業上の利用可能性】
【００８４】
以上のような本発明に係るコネクタ装置は、例えば、フレキシブル印刷配線基板等とされる配線板状部材の配線基板との連結に用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とをとる係合部材とを備えたコネクタ装置であって、構成の簡略化と部品点数の減少とによる製造コストの低減を図ることができ、しかも、配線板状部材に対する係止及び係止の解除を行う手段の耐久性を向上させることができるもとで、ハウジングに板状部材差込み部を通じて差し込まれた配線板状部材に対するハウジングからの不所望な抜脱を阻止するための係止及びその係止の解除を、確実かつ容易に行えることになるものとして、様々な電子機器等に広く適用され得るものである。
【符号の説明】
【００８５】
１０・・・コネクタ装置，  １１・・・ハウジング，    １２・・・板状部材差込み部，  １３・・・フレキシブル印刷配線基板，  １４・・・コンタクト，  １５・・・接触端子部，  ２１・・・固定ビーム部，  ２２・・・可動ビーム部，  ２４・・・接続端子部，  ２５，２６・・・接点部，  ３０，３１・・・係合部材，  ３２・・・固定部，  ３３，４４・・・基板接続部，  ３４・・・連結部，  ３５，４５・・・可動アーム状部，  ３６，４６・・・折返し部，  ３７，４７・・・操作部，  ３８・・・係止部，  ３８ａ・・・傾斜面，  ４０，５０・・・切欠き係合部，  ４１，５１・・・端縁部，  ４３，５２・・・切欠き部
【図１】
0005780396.tif 000002
【図２】
0005780396.tif 000003
【図３】
0005780396.tif 000004
【図４】
0005780396.tif 000005
【図５】
0005780396.tif 000006
【図６】
0005780396.tif 000007
【図７】
0005780396.tif 000008
【図８】
0005780396.tif 000009
【図９】
0005780396.tif 000010
【図１０】
0005780396.tif 000011